(57)【要約】【課題】媒体排出方向に向かって上方に傾斜するとともに、トレイ本体に収納される補助トレイを備える多段式に構成された排紙トレイを備える記録装置において、装置の大型化を抑制しつつ、前記補助トレイの厚みが薄い部分の載置面が撓む虞を低減または回避する。【解決手段】プリンター１において排出される媒体を受ける排紙トレイ５が、媒体を載置する第１の載置面２１ａを有するトレイ本体２１と、媒体を載置する第２の載置面２２ａを有し、トレイ本体２１への収納とトレイ本体２１からの引き出しが可能な補助トレイ２２と、を備え、補助トレイ２２が、引き出し方向の上流側に、下流側よりも薄く形成された薄厚部２６を備え、トレイ本体２１が、引き出し状態の補助トレイ２２の薄厚部２６の少なくとも一部を下方から支持する支持部２７を備える。【選択図】図４
2017154866.tif 000002
【特許請求の範囲】
【請求項１】
媒体に記録を行う記録手段と、
前記記録手段より媒体搬送方向下流側に設けられた、排出される媒体を受ける媒体受けトレイと、を備え、
前記媒体受けトレイが、  前記媒体を載置する第１の載置面を有するトレイ本体と、  前記媒体を載置する第２の載置面を有し、前記トレイ本体への収納と前記トレイ本体からの引き出しが可能な補助トレイと、を備え、  前記補助トレイが、引き出し方向の上流側に、下流側よりも薄く形成された薄厚部を備え、  前記トレイ本体が、引き出し状態の前記補助トレイの前記薄厚部の少なくとも一部を下方から支持する支持部を備える、
ことを特徴とする記録装置。
【請求項２】
請求項１に記載の記録装置において、前記補助トレイの前記引き出し方向が、斜め上方に向いている、ことを特徴とする記録装置。
【請求項３】
請求項２に記載の記録装置において、
前記トレイ本体における前記第１の載置面が、媒体排出方向に向かって上方に傾斜している、ことを特徴とする記録装置。
【請求項４】
請求項１から請求項３のいずれか一項に記載の記録装置において、
前記支持部が、前記媒体受けトレイが受ける前記媒体の幅方向の中央部に設けられている、
ことを特徴とする記録装置。
【請求項５】
請求項１から請求項４のいずれか一項に記載の記録装置において、
前記補助トレイが、前記トレイ本体に収納する際の前記支持部との干渉を避ける逃げ部を備えている、
ことを特徴とする記録装置。
【請求項６】
請求項５に記載の記録装置において、前記補助トレイの下側に、下方向に突出する突出部を備え、
前記逃げ部が、前記突出部に設けられている、
ことを特徴とする記録装置。
【発明の詳細な説明】
【技術分野】
【０００１】
本発明は、媒体に記録を行う記録装置に関する。
【背景技術】
【０００２】
プリンターに代表される記録装置は、装置本体内の記録部において記録を行った後、記録後の媒体を前記装置本体から排出し、排出される媒体を排紙トレイ等に受けて載置するように構成されているものがある。  
このような排紙トレイには、媒体の載置面が媒体排出方向に向かって上方に傾斜して設けられるように構成されているものがある（例えば、特許文献１）。
【０００３】
また、排紙トレイには、装置本体に設けられるトレイ本体に対し、収納、且つ、引き出し可能に構成された補助トレイを備え、多段式に構成されるものがある。
【先行技術文献】
【特許文献】
【０００４】
【特許文献１】特開２０１５−７８０５６号公報
【発明の概要】
【発明が解決しようとする課題】
【０００５】
ここで、前記多段式の排紙トレイの構成を、特許文献１のように、媒体排出方向に向かって上方に傾斜する排紙トレイに採用する場合、前記トレイ本体において前記補助トレイを収納するスペース（例えば、特許文献１の図２、排出スタッカー７０の下側のスペース）は、媒体排出方向上流側が狭くなるため、前記補助トレイは、前記上流側の厚みが薄く形成されることがある。    前記補助トレイにおいて前記上流側が薄く形成されていると、当該補助トレイを引き出した状態において、前記補助トレイの厚みが薄い部分の前記載置面が撓む場合がある。  
【０００６】
この補助トレイの上流側の厚みが薄いことに起因する撓みを抑制するため、例えば、前記補助トレイの引き出し状態において、前記トレイ本体における前記載置面の裏面と前記補助トレイにおける前記載置面との間との距離を保つための係止構造を設けることが考えられるが、この構成では前記トレイ本体と前記補助トレイの間に前記係止構造を設けるスペースが必要となるため、前記排紙トレイの高さ方向の厚みが増大する。
【０００７】
そこで本発明はこの様な問題に鑑み成されたものであり、その目的は、媒体排出方向に向かって上方に傾斜するとともに、トレイ本体に収納される補助トレイを備える多段式に構成された排紙トレイを備える記録装置において、装置の大型化を抑制しつつ、前記補助トレイの厚みが薄い部分の載置面が撓む虞を低減または回避することにある。
【課題を解決するための手段】
【０００８】
上記課題を解決する為の、本発明の第１の態様に係る記録装置は、媒体に記録を行う記録手段と、前記記録手段より媒体搬送方向下流側に設けられた、排出される媒体を受ける媒体受けトレイと、を備え、前記媒体受けトレイが、前記媒体を載置する第１の載置面を有するトレイ本体と、前記媒体を載置する第２の載置面を有し、前記トレイ本体への収納と前記トレイ本体からの引き出しが可能な補助トレイと、を備え、前記補助トレイが、引き出し方向の上流側に、下流側よりも薄く形成された薄厚部を備え、前記トレイ本体が、引き出し状態の前記補助トレイの前記薄厚部の少なくとも一部を下方から支持する支持部を備える、ことを特徴とする。
【０００９】
本態様によれば、前記トレイ本体から前記補助トレイが引き出された際に、前記トレイ本体の前記支持部によって、前記補助トレイの前記薄厚部の少なくとも一部が下方から支持されるので、前記引き出し状態の前記補助トレイが、前記薄厚部において撓むことを抑制または回避することができる。  
また、前記支持部は、前記補助トレイの前記薄厚部を下方から支持する構成であるので、厚み方向の大型化を回避することができる。尚、この点については後で詳しく説明する。
【００１０】
本発明の第２の態様に係る記録装置は、第１の態様において、前記補助トレイの前記引き出し方向が、斜め上方に向いている、ことを特徴とする。
【００１１】
前記補助トレイの前記引き出し方向が斜め上方である場合、前記補助トレイを収納した際、前記媒体受けトレイの下部に位置する構成要素と干渉する虞がある。そこで前記干渉を避けるため、前記補助トレイが、前記引き出し方向の上流側端部を下流側端部よりも薄く形成される場合がある。前記補助トレイの上流側が薄いと、前記補助トレイを引き出した状態において、前記補助トレイの載置面が撓む虞がある。  
本態様によれば、前記補助トレイの前記引き出し方向が斜め上方である場合において、前記引き出し状態の前記補助トレイが、前記薄厚部において撓むことを抑制または回避することができる。
【００１２】
本発明の第３の態様に係る記録装置は、第２の態様において、前記トレイ本体における前記第１の載置面が、媒体排出方向に向かって上方に傾斜している、ことを特徴とする。
【００１３】
前記トレイ本体における第１の載置面が媒体排出方向に向かって上方に傾斜している場合、前記トレイ本体における前記補助トレイを収納可能なスペースは、前記媒体排出方向の上流側が狭くなる。そのため、前記補助トレイは、前記引き出し方向の上流側端部が下流側端部よりも薄く形成される場合がある。  
本態様によれば、前記トレイ本体における第１の載置面が、媒体排出方向に向かって上方に傾斜する構成の前記媒体受けトレイを備える記録装置において、前記引き出し状態の前記補助トレイが、前記薄厚部において撓むことを抑制または回避することができる。
【００１４】
本発明の第４の態様に係る記録装置は、第１の態様から第３の態様のいずれかにおいて、前記支持部が、前記媒体受けトレイが受ける前記媒体の幅方向の中央部に設けられている、ことを特徴とする。
【００１５】
本態様によれば、前記支持部が、前記補助トレイの中央部を支持する構成とすることができるので、前記薄厚部における撓みを効果的に抑制することができる。
【００１６】
本発明の第５の態様に係る記録装置は、第１の態様から第４の態様のいずれかにおいて、前記補助トレイが、前記トレイ本体に収納する際の前記支持部との干渉を避ける逃げ部を備えている、ことを特徴とする。
【００１７】
本態様によれば、前記補助トレイを前記トレイ本体に収納する際に、前記補助トレイにおいて前記薄厚部よりも厚い部分が前記支持部と干渉することを回避する構成とすることができる。
【００１８】
本発明の第６の態様に係る記録装置は、第５の態様において、前記補助トレイの下側に、下方向に突出する突出部を備え、前記逃げ部が、前記突出部に設けられている、ことを特徴とする。  
本態様によれば、前記補助トレイの下側に、下方向に突出する突出部を備える場合に、前記突出部と前記支持部との干渉を避ける構成とすることができる。
【図面の簡単な説明】
【００１９】
【図１】本発明に係るプリンターの外観を表す斜視図。
【図２】本発明に係るプリンターにおける媒体搬送経路を示す図。
【図３】排紙トレイの収納状態から展開状態への遷移を説明する斜視図。
【図４】排紙トレイの収納状態から展開状態への遷移を説明する断面図。
【図５】図４に示す排紙トレイのＡ−Ａ矢視断面斜視図。
【図６】図５の要部拡大図。
【図７】排紙トレイの分解斜視図。
【図８】排紙トレイを表す斜視図。
【図９】図８の要部拡大図。
【図１０】排紙トレイの細部を説明する斜視図。
【図１１】図１０に示す排紙トレイのＢ−Ｂ矢視断面図。
【図１２】収納状態における排紙トレイの要部断面斜視図。
【図１３】実施例２に係る排紙トレイを表す斜視図。
【発明を実施するための形態】
【００２０】
［実施例１］
まず、本発明の一実施例に係る記録装置の概略について説明する。本実施例の記録装置の一例として、インクジェット式プリンター１（以下、単にプリンター１という）を例に挙げる。  
図１は、本発明に係るプリンターの外観を表す斜視図である。図２は、本発明に係るプリンターにおける媒体搬送経路を示す図である。図３は、排紙トレイの収納状態から展開状態への遷移を説明する斜視図である。図４は、排紙トレイの収納状態から展開状態への遷移を説明する断面図である。図５は、図４に示す排紙トレイのＡ−Ａ矢視断面斜視図である。図６は、図５の要部拡大図である。図７は、排紙トレイの分解斜視図である。図８は、排紙トレイを表す斜視図である。図９は、図８の要部拡大図である。図１０は、排紙トレイの細部を説明する斜視図である。図１１は、図１０に示す排紙トレイのＢ−Ｂ矢視断面図である。図１２は、収納状態における排紙トレイの要部断面斜視図である。
【００２１】
尚、各図において示すＸ−Ｙ−Ｚ座標系は、Ｘ方向が記録ヘッドの走査方向であり、記録が行われる媒体の幅方向である。Ｙ方向が装置奥行き方向であり、媒体の長さ方向である。Ｚ方向は重力方向であり、装置高さ方向である。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において記録用紙が搬送されていく搬送方向を「下流」といい、これと反対の方向を「上流」という。
【００２２】
＜プリンターの概要＞
プリンター１（図１）は、媒体としての記録用紙に記録を行うプリンターユニット２と、原稿の画像を読み取るスキャナーユニット３とを備える複合機として構成されている。スキャナーユニット３は、プリンターユニット２の上部に設けられている。  
尚、本明細書において記録用紙とは、一例として普通紙や厚紙、写真用紙等の用紙を指している。
【００２３】
プリンターユニット２内に設けられる「記録手段」としての記録ヘッド１０（図２）による記録後の記録用紙は、装置前面に設けられる排出口４から出て、排出される媒体を受ける「媒体受けトレイ」としての排紙トレイ５に載置される。尚、排紙トレイ５については後で更に詳述する。  
装置前面において符号６は、電源ボタンや各種印刷設定・記録実行を行う操作ボタン、印刷設定内容や印刷画像のプレビュー表示などを行う表示部、等を備えて成る操作パネルである。
【００２４】
プリンターユニット２（図２）は、記録を行う装置本体７と、装置本体７を収容する下部ハウジング８と、下部ハウジング８の上部に設けられる上部ハウジング９とによって構成されている。上部ハウジング９の上面は、前述したスキャナーユニット３（図１）の載置面になっている。
【００２５】
＜用紙搬送経路について＞
続いて、図２を参照して、プリンターユニット２の装置本体７における記録用紙の搬送経路について説明する。尚、図２において、点線Ｐは記録用紙の搬送経路である。  
装置本体７は、底部に複数の記録用紙（用紙束Ｐ１）を収容する用紙トレイ１１を備え、用紙トレイ１１から記録用紙が１枚ずつ給送される。  
記録用紙は、用紙トレイ１１から給送ローラー１２（ピックアップローラーとも言う）により一旦装置背面側（−Ｙ方向）に送られ、中間ローラー１３によって湾曲されて装置前面側（＋Ｙ方向）に送られるようになっている。尚、給送ローラー１２は、揺動軸１２ａを軸として揺動可能に構成され、用紙トレイ１１に収容される用紙束Ｐ１の一番上の記録用紙に接触するように構成されている。
【００２６】
記録ヘッド１０の用紙搬送方向上流側（装置背面側、−Ｙ方向）には、図示しないモーターによって回転駆動される搬送駆動ローラー１４と、該搬送駆動ローラー１４に接して従動回転する搬送従動ローラー１５とが設けられており、記録用紙が記録ヘッド１０の下へと送られる。
【００２７】
記録ヘッド１０は、記録用紙の搬送方向（Ｙ軸方向）と交差するＸ軸方向に延設されるメインフレーム２０に対して移動可能に保持されるキャリッジ１６に搭載されており、記録ヘッド１０と対向する領域に送られる記録用紙に対してインクを吐出することにより記録が行われるように構成されている。  
またキャリッジ１６には、記録ヘッド１０にインクを供給するインクカートリッジ１９が搭載されている。
【００２８】
記録ヘッド１０の用紙搬送方向下流側（装置前面側、＋Ｙ方向）には、図示しないモーターによって回転駆動される排出駆動ローラー１７と、当該排出駆動ローラー１７に接して従動回転する排出従動ローラー１８とが設けられており、記録後の記録用紙は、装置前面側に設けられる排紙トレイ５に排出される。
【００２９】
＜排紙トレイについて＞
続いて、排紙トレイ５の構成について説明する。  
本実施例において、記録用紙を排出する排出駆動ローラー１７と排出従動ローラー１８の下流側に設けられる排紙トレイ５は、図２に示すように、装置本体７の底部に設けられる用紙トレイ１１上に設けられている。  
排紙トレイ５は、記録用紙を載置する第１の載置面２１ａを有し、図２のように装置本体７に設けられるトレイ本体２１を備え、トレイ本体２１への収納とトレイ本体２１からの展開が可能な補助トレイ２２と補助アーム２３を備えている。  
図２に示す排紙トレイ５は、補助トレイ２２と補助アーム２３がそれぞれ展開された状態を示している。
【００３０】
図３〜図１２を参照して、補助トレイ２２と補助アーム２３の構成について更に説明する。  
補助トレイ２２は、記録用紙を載置する第２の載置面２２ａを有し、トレイ本体２１への収納とトレイ本体２１からの引き出しが可能に構成されている。図３及び図４の１番上の図が補助トレイ２２のトレイ本体２１への収納状態である。  
補助トレイ２２が引き出された引き出し状態（図３及び図４の上から２番目の図）において、第１の載置面２１ａを延長するように第２の載置面２２ａが配される。
【００３１】
補助トレイ２２は、図５に示すように、排出される記録用紙の幅方向（Ｘ軸方向）の両端部にスライド部２９（図６も参照）を備え、トレイ本体２１の下部に設けられ、補助トレイ２２のスライド方向に延設されるスライド溝２８に係合しつつスライドし、その収納と引き出しが行われる様になっている。
【００３２】
補助アーム２３は、記録用紙を載置する第３の載置面２３ａを有し、補助トレイ２２に対して回動可能に設けられている。補助アーム２３は、第３の載置面２３ａを下にして折り畳まれた状態（図３及び図４の上から２番目の図）で補助トレイ２２とともにトレイ本体２１に収納可能であり、第３の載置面２３ａを上に向けた開状態（図３及び図４の１番下の図）において、第３の載置面２３ａに記録用紙が載置される。  
尚、補助アーム２３が折り畳まれた状態では、第３の載置面２３ａの裏面２３ｂが第２の載置面２２ａの一部を構成する。補助トレイ２２への補助アーム２３の取付構造については、後で詳しく説明する。
【００３３】
排紙トレイ５は、排出される記録用紙のサイズに応じて、補助トレイ２２の収納状態と引き出し状態と、補助トレイ２２の引き出し状態における補助アーム２３の折り畳み状態と開状態を選択できるようになっている。
【００３４】
ここで、トレイ本体２１の第１の載置面２１ａは、媒体排出方向（＋Ｙ方向）に向かって上方に傾斜している。更に、補助トレイ２２の第２の載置面２２ａが、トレイ本体２１の第１の載置面２１ａの傾斜に沿うように、補助トレイ２２の引き出し方向も斜め上方に向いている。  
トレイ本体２１が媒体排出方向（＋Ｙ方向）に向かって上方に傾斜していると、トレイ本体２１の下部には用紙トレイ１１があるので、トレイ本体２１において補助トレイ２２を収納する収納スペース２４は、図４の上から２番目の図に示すように、補助トレイ２２の引き出し方向の上流側が狭い先細りの形状となる。そのため、補助トレイ２２全体を引き出し方向の下流側端部と同じ厚みで形成すると、図４の１番上の図において符号２５で示す点線部分が入らなくなるので、補助トレイ２２の上流側端部には下流側端部よりも薄く形成された薄厚部２６が設けられている。
【００３５】
一方、補助トレイ２２を薄く形成すると厚い部分よりも撓み易くので、補助トレイ２２の引き出し状態において、薄厚部２６は下流側端部よりも撓み易くなる。このため、トレイ本体２１には、引き出し状態の補助トレイ２２の薄厚部２６の少なくとも一部を下方から支持する支持部２７、２７が設けられている。
【００３６】
本実施例において、支持部２７、２７は、トレイ本体２１における補助トレイ２２の収納口３０（図４、図７）の開口近傍に凸状に設けられている。補助トレイ２２の裏面２２ｂにおいて、支持部２７、２７に対応する位置には、裏面２２ｂから下方に突出する接触部３５、３５（図９）が設けられている。また、２つの支持部２７、２７は、排紙トレイ５が受ける記録用紙の幅方向の中央部に対してほぼ対照に位置している。  
この支持部２７によって、トレイ本体２１から補助トレイ２２が引き出された際に、補助トレイ２２の薄厚部２６が下方から支持されることにより、引き出し状態の補助トレイ２２が薄厚部２６において撓むことを抑制または回避することができる。
【００３７】
また、支持部２７は、補助トレイ２２の薄厚部２６を下方から支持する構成であるので、図６に示すように、トレイ本体２１の裏面２１ｂと、補助トレイ２２の第２の載置面２２ａとの間のクリアランスを小さくすることができる。  
例えば、補助トレイ２２の薄厚部２６における撓みを抑制するための構造として、裏面２１ｂと第２の載置面２２ａとの間に、その間の距離を保つための係止構造を設ける場合には、裏面２１ｂと第２の載置面２２ａの間に前記係止構造を設けるスペースが必要であるが、支持部２７により薄厚部２６を下方から支持する本構成では、裏面２１ｂと第２の載置面２２ａのクリアランスは、補助トレイ２２がスムーズにスライドできるよう接触しない程度に開いていればよく、大きなスペースは必要ない。したがって、排紙トレイ５の厚み方向の大型化を回避することができる。
【００３８】
尚、本実施例では、トレイ本体２１の第１の載置面２１ａの傾き、及び補助トレイ２２の引き出し方向が斜め上方であり、補助トレイ２２のトレイ本体２１への収納時における、排紙トレイ５の下部に位置する構成要素（用紙トレイ１１）との干渉を避けるため、補助トレイ２２に薄厚部２６が形成されているが、第１の載置面２１ａの傾きや補助トレイ２２の引き出し方向は斜め上方に限られず、例えば引き出し方向が水平である補助トレイ２２の薄厚部２６をトレイ本体２１の支持部２７が支える構成とすることもできる。
【００３９】
続いて、排紙トレイ５の他の構成について説明する。  
トレイ本体２１の収納口３０に凸状に設けられる支持部２７、２７は、引き出し状態の補助トレイ２２の薄厚部２６を下方から支持するが、補助トレイ２２をトレイ本体２１に収納する場合には、そのままでは補助トレイ２２の薄厚部２６よりも厚い先端側（＋Ｙ側）が支持部２７、２７に接触してしまう。  
これを回避するため、補助トレイ２２には、トレイ本体２１に収納する際の支持部２７との干渉を避ける逃げ部３１（図７、図８）が設けられている。
【００４０】
具体的には、逃げ部３１は、後述する規制部３２（図４、図１１）に設けられており、その形状は凸状の支持部２７を避ける凹状に形成されている。規制部３２は、補助トレイ２２の下側において下方向に突出する「突出部」として設けられている。  
補助トレイ２２の規制部３２が逃げ部３１を備えることにより、補助トレイ２２をトレイ本体２１に収納する際に、補助トレイ２２において薄厚部２６よりも厚い部分が支持部２７と干渉することを回避することができる。
【００４１】
次に、補助トレイ２２への補助アーム２３の取付構造について説明しつつ、前述した規制部３２について説明する。  
補助アーム２３は、回動軸３３（図４、図７）を備え、補助トレイ２２の軸受部３４が回動軸３３を受けて、補助トレイ２２の第２の載置面２２ａを開閉するように構成されている。  
補助トレイ２２の引き出し方向下流側（＋Ｙ側）には、当て部３６（図１０、図１１）が設けられており、図４の１番下の図に示すように、補助アーム２３の裏面２３ｂが当て部３６に支持されて、補助アーム２３の開状態が保持されるようになっている。
【００４２】
また、補助トレイ２２には、補助アーム２３の回動軸３３の後端３７（図１０、図１１）の回動させるための開口部３８が設けられている。  
ここで、補助アーム２３の閉状態（図４の上から２番目の図）及び閉状態（図４の１番下の図）において、開口部３８は閉じているが、補助アーム２３を開閉させる際に、開口部３８にユーザーの手（指）が挟まる虞がある。前述した規制部３２は、開口部３８への手の侵入を抑制する役割を担うものである。
【００４３】
図１１及び図１２に示すように、規制部３２において、上流側の規制部３２ａと下流側の規制部３２ｂの先端は互いに近づくように下方側に突出しており、開口部３８の開口を狭めるようになっている。  
この構成によって、補助アーム２３の開閉途中にユーザーの手が開口部３８に入り込んだり挟まったりすることを抑制することができる。
【００４４】
逃げ部３１が設けられる部位は、補助トレイ２２の下側において下方向に突出する「突出部」である規制部３２に限られず、例えば、補助トレイ２２を補強するためのリブ等の「突出部」であってもよい。また、前記「突出部」が無い構成、すなわち、補助トレイ２２が均一な厚みで形成されている場合には、均一な厚みの補助トレイ２２に凹状の溝として逃げ部を形成することができる。
【００４５】
また、本実施例では、補助トレイ２２に対して回動して折り畳み状態をとり、補助トレイ２２とともにトレイ本体２１に収納される補助アーム２３を備えているが、補助アーム２３がない構成であってもよい。  
また、補助アーム２３に代えて、補助トレイ２２に対して収納と引き出しが可能に構成される第２の補助トレイを備える構成とすることもできる。  
その場合、第２の補助トレイは補助トレイ２２と同様の構成とすることができる。すなわち、引き出し方向の上流側に、下流側よりも薄く形成された薄厚部を備える形状に構成することができる。そして、第２の補助トレイが収納される補助トレイ２２には、トレイ本体２１と同様に、引き出し状態の第２の補助トレイの薄厚部の少なくとも一部を下方から支持する支持部を設ける構成とすることができる。
【００４６】
［実施例２］
実施例２では図１３に基づき、排紙トレイの他の実施例について説明する。図１３は、実施例２に係る排紙トレイを表す斜視図である。  
実施例２は、排紙トレイ５０を構成するトレイ本体５１において、補助トレイ５２の薄厚部６０を下方から支持する支持部５５が、排紙トレイ５０が受ける記録用紙の幅方向（Ｘ軸方向）の中央部に設けられている実施例である。
【００４７】
図１３に示す排紙トレイ５０は、記録用紙を載置する第１の載置面５１ａを有するトレイ本体５１と、トレイ本体５１への収納とトレイ本体５１からの展開が可能な補助トレイ５２と補助アーム５３を備えている。  
補助アーム５３は、実施例１と同様に補助トレイ５２の第２の載置面５２ａに対して開閉し、閉状態において補助トレイ５２とともにトレイ本体５１へ収納される。
【００４８】
補助トレイ５２は、引き出し方向（＋Ｙ方向）の上流側に薄厚部６０を備えており、薄厚部６０を支持する支持部５５は、トレイ本体５１における前記幅方向の中央部に設けられている。支持部５５は、トレイ本体５１における補助トレイ５２の収納口５４の開口近傍に設けられている。  
支持部５５によって、補助トレイ５２の幅方向の中央部が支持されるので、補助トレイ５２の薄厚部６０における撓みを効果的に抑制することができる。  
尚、補助トレイ５２の裏面５２ｂにおいて、支持部５５に対応する位置には、裏面５２ｂから下方に突出する接触部５６が設けられている。
【００４９】
また、補助トレイ５２には、トレイ本体５１に収納する際の支持部５５との干渉を避ける逃げ部５７が設けられている。実施例１と同様に、逃げ部５７は、補助トレイ２２の下側において下方向に突出する「突出部」としての規制部５８に設けられている。  
本実施例では、支持部５５がトレイ本体５１における前記幅方向の中央部に設けられているので、上流側規制部５８ａと下流側規制部５８ｂの幅方向中央部に、凸状の支持部５５を避ける凹状の逃げ部５７が形成されている。  
補助トレイ５２が逃げ部５７を備えることにより、補助トレイ５２をトレイ本体５１に収納する際に、補助トレイ５２において薄厚部６０よりも厚い部分が支持部５５と干渉することを回避することができる。
【００５０】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００５１】
１…プリンター（記録装置）、２…プリンターユニット、３…スキャナーユニット、
４…排出口、５…排紙トレイ（媒体受けトレイ）、６…操作パネル、７…装置本体、
８…下部ハウジング、９…上部ハウジング、１０…記録ヘッド（記録手段）、
１１…用紙トレイ、１２…給送ローラー、１３…中間ローラー、
１４…搬送駆動ローラー、１５…搬送従動ローラー、１６…キャリッジ、
１７…排出駆動ローラー、１８…排出従動ローラー、
１９…インクカートリッジ、２０…メインフレーム、２１…トレイ本体、
２１ａ…第１の載置面、２２…補助トレイ、２２ａ…第２の載置面、
２３…補助アーム、２３ａ…第３の載置面、２３ｂ…裏面、
２４…収納スペース、２６…薄厚部、２７…支持部、２８…スライド溝、
２９…スライド部、３０…収納口、３１…逃げ部、３２…規制部、
３３…回動軸、３４…軸受部、３５…接触部、３６…当て部、
３７…後端、３８…開口部、５０…排紙トレイ、５１…トレイ本体、
５１ａ…第１の載置面、５２…補助トレイ、５２ａ…第２の載置面、５２ｂ…裏面、
５３…補助アーム、５４…収納口、５５…支持部、５６…接触部、
５７…逃げ部、５８…規制部、６０…薄厚部
【図１】
2017154866.tif 000003
【図２】
2017154866.tif 000004
【図３】
2017154866.tif 000005
【図４】
2017154866.tif 000006
【図５】
2017154866.tif 000007
【図６】
2017154866.tif 000008
【図７】
2017154866.tif 000009
【図８】
2017154866.tif 000010
【図９】
2017154866.tif 000011
【図１０】
2017154866.tif 000012
【図１１】
2017154866.tif 000013
【図１２】
2017154866.tif 000014
【図１３】
2017154866.tif 000015